(57)【要約】      （修正有）【課題】感光体に対する照射高さ位置の微調整を簡単な構成で行うことができる露光装置を提供。【解決手段】副走査方向に千鳥状に配置されたＬＥＤヘッド１０を備え、ＬＥＤヘッド１０の両側には、像担持体２０に対して露光位置の高さを調整する露光調整機構３０を設ける。【選択図】図１
2011240556.tif 000002
【特許請求の範囲】
【請求項１】
副走査方向に千鳥状に配置されたＬＥＤヘッドを備え、像担持体に静電潜像を形成する露光装置において、
前記ＬＥＤヘッドの両側には、像担持体に対して露光位置の高さを調整する露光調整機構が設けられていることを特徴とする露光装置。
【請求項２】
前記ＬＥＤヘッドは、主走査方向に複数、配置されていることを特徴とする請求項１記載の露光装置。
【請求項３】
前記露光調整機構は、前記ＬＥＤヘッドの調整の操作が入力される操作軸と、該操作軸から入力された操作量を伝達するはすば歯車と、該はすば歯車に伝達された操作量を前記像担持体に対し露光位置の距離に変換する取付軸とを備え、
前記取付軸は、前記ＬＥＤヘッドを取り付けるフレームに設けられていることを特徴とする請求項１記載の露光装置。
【請求項４】
副走査方向に千鳥状に配置されたＬＥＤヘッドを備え、シートのデータを読み取る露光装置において、
前記ＬＥＤヘッドの両側には、シートに対して露光位置の高さを調整する露光調整機構が設けられていることを特徴とする露光装置。
【請求項５】
前記ＬＥＤヘッドは、主走査方向に複数、配置されていることを特徴とする請求項４記載の露光装置。
【請求項６】
前記露光調整機構は、前記ＬＥＤヘッドの調整の操作が入力される操作軸と、該操作軸から入力された操作量を伝達するはすば歯車と、該はすば歯車に伝達された操作量を前記像担持体に対し露光位置の距離に変換する取付軸とを備え、
前記取付軸は、前記ＬＥＤヘッドを取り付けるフレームに設けられていることを特徴とする請求項４記載の露光装置。
【発明の詳細な説明】
【技術分野】
【０００１】
本発明は、露光装置に関する。
【背景技術】
【０００２】
従来、露光装置の光書き込みを行う構成として、ＬＥＤヘッドを用いるものがある。例えば、電子写真装置に、このＬＥＤヘッドを用いるときは、通常、トナー像を転写するシートの幅に相当するＬＥＤヘッドを感光体に一つ配置していた。
【０００３】
したがって、上記の配置は、幅が広いシート、例えば、Ａ０の幅を持つようなシートに適用する場合は、この幅に相当する長さを持つＬＥＤヘッドを必要とするものであった。
【０００４】
しかし、ＬＥＤヘッドのコストは、ＬＥＤヘッドの長さに比例するため、Ａ０の幅を持つようなシートに適用したＬＥＤヘッドを組み込んだ露光装置は、コストが高くなるという問題があった。
【０００５】
このため、特許文献１に開示されている構成がある。この構成は、ＬＥＤヘッドを長さ方向に複数分割し、その分割したＬＥＤヘッドを感光体の主走査方向に沿って千鳥上に配置し、複数のＬＥＤヘッドで１ラインごとの露光をして感光体に静電潜像を書き込むものである。
【先行技術文献】
【特許文献】
【０００６】
【特許文献１】特開昭６１−１６９８１４号公報
【発明の概要】
【発明が解決しようとする課題】
【０００７】
しかし、この構成は、球面レンズやロッドレンズからなる光学系より明るくし、さらに、発光ダイオードアレイの列間隔を小さくするために、主走査方向の結合作用は第１の円筒レンズで行い、副走査方向の結合作用は第２の円筒レンズで行うものであり、感光体に対する照射高さ位置がずれた場合、対応することができないという問題を持つ。
【課題を解決するための手段】
【０００８】
上記問題を解決するために、本発明は、副走査方向に千鳥状に配置されたＬＥＤヘッドを備え、ＬＥＤヘッドの両側には、像担持体に対して露光位置の高さを調整する露光調整機構が設けられていることを特徴とする。
【０００９】
また、請求項２において、ＬＥＤヘッドを、主走査方向に複数、配置すること特徴とする。さらに請求項３記載の発明は、露光調整機構を、ＬＥＤヘッドの調整の操作が入力される操作軸と、該操作軸から入力された操作量を伝達するはすば歯車と、該はすば歯車に伝達された操作量を前記像担持体に対し露光位置の距離に変換する取付軸とで構成し、取付軸を、ＬＥＤヘッドを取り付けるフレームに設けることを特徴とする。
【００１０】
またさらに請求項４記載の発明は、露光調整機構を、ＬＥＤヘッドの調整の操作が入力される操作軸と、該操作軸から入力された操作量を伝達するはすば歯車と、該はすば歯車に伝達された操作量をデータが記録されたシートに対し露光位置の距離に変換する取付軸とで構成し、取付軸を、ＬＥＤヘッドを取り付けるフレームに設けることを特徴とする。
【発明の効果】
【００１１】
本発明の請求項１の露光装置は、像担持体に対して露光位置の高さを調整する露光調整機構をＬＥＤヘッドの両側に設けるという簡単な構成でＬＥＤヘッドの微小な調整もできる。
【００１２】
また、露光調整機構を、ＬＥＤヘッドの調整の操作が入力される操作軸と、該操作軸から入力された操作量を伝達するはすば歯車と、該はすば歯車に伝達された操作量を前記像担持体に対し露光位置の距離に変換する取付軸とで構成し、さらに、取付軸を、ＬＥＤヘッドを取り付けるフレームに設けることにより、露光調整装置の構成を具体的にすることにより、請求項１の効果を得ることができる。
【図面の簡単な説明】
【００１３】
【図１】本発明の露光装置を適用した画像形成装置の概略図。
【図２】（ａ）は本発明の露光装置の斜視図、（ｂ）は露光調整機構の主要部の斜視図。
【図３】動作を示す図。
【発明を実施するための形態】
【００１４】
以下、図を用いて、本発明の実施の形態を説明する。図１は、本発明の露光装置を適用した画像形成装置の概略を示す。なお、この実施の形態において、本発明の露光装置を適用したものとして画像形成装置を開示しているがこれに限定されるものではなく、原稿や画像が形成されたシートを読み取る読取装置に適用しても良い。
【００１５】
具体的には、画像形成装置は、像担持体２０と除電装置Ａと帯電装置Ｂと本願発明の露光装置Ｃと現像装置Ｄと図示しない定着装置とクリーニング装置とからなる。定着装置を除く各部は像担持体２０の周辺の適宜位置に配置されている。
【００１６】
除電装置Ａは、像担持体２０の表面に残留する電荷を消去して像担持体２０の表面を中和するものであり、具体的にはイレーサランプである。帯電装置Ｂは、除電装置Ａで中和された像担持体２０の表面を特性極性に一様に帯電するものであり、具体的にはコロナ帯電器である。
【００１７】
現像装置Ｄは、像担持体２０に形成された潜像にトナー像を現像するものであり、具体的には、トナーが充填されたトナーカートリッジＤ１と、トナーカートリッジＤ１から供給されたトナーが収容された現像容器Ｄ２と、現像ローラＤ３と、現像ローラＤ３に適当な圧力で接触して配置され、現像ローラＤ３上に一定のトナー薄層を形成する層厚規制部Ｄ４と、現像ローラＤ３と接触して設けられ現像容器Ｄ２内のトナーを現像ローラＤ３に供給する供給ローラＤ５と、供給ローラＤ５の後方に配置された攪拌部材Ｄ６を備えたものである。
【００１８】
転写装置Ｅは、像担持体２０に現像されたトナー像をシートに転写するものであり、具体的は、トナー像をシートに転写する転写部Ｅ１と、転写後のシートを像担持体２０から分離する分離部Ｅ２とからなるものである。
【００１９】
定着装置は、シートに転写したトナー像を固定するものであり、具体的には、定着ローラと加圧ローラとからなる。クリーニング装置Ｆは転写後に、シートに転写されずに像担持体２０に残ったトナーを回収するものである。
【００２０】
図２、３に、本発明の露光装置の斜視図を示す。図２に示すように、露光装置は、副走査方向に千鳥状に配置されたＬＥＤヘッド１０と、各ＬＥＤヘッド１０を取り付けるフレーム７０と、像担持体２０に対して露光位置の高さを調整する露光調整機構３０からなる。
【００２１】
各ＬＥＤヘッド１０は、所定の間隔で配置され像担持体２０に光を照射する図示しないＬＥＤランプと、ＬＥＤヘッド１０をフレーム７０に取り付ける取付部８０とからなる。取付部８０は、板状の金属板からなり、ＬＥＤヘッド１０の熱を放熱する構成となっている。
【００２２】
さらに、取付部８０は、第一取付部８１と第二取付部８２とからなる。第一取付部８１はＬＥＤヘッド１０をネジ等で取り付けるものであり図２に示すように、長手方向に延び、断面略コ字状に形成されている。
【００２３】
第二取付部８２はネジ等でフレーム７０に取り付けられている。図２（ｂ）（第二取付部８２は図示されていない。）、図３に示すように、第二取付部８２側には、ＬＥＤヘッド１０が取り付けられた第一取付部８１とフレーム７０に取り付けられた第二取付部８２との間にガタが生じないように、付勢手段９０が設けられている。
【００２４】
さらに、図３に示すように、フレーム７０に取り付けられた各ＬＥＤヘッド１０は、主走査方向に配置されている。
【００２５】
各ＬＥＤヘッド１０の両側には、像担持体２０に対して露光位置の高さを調整する露光調整機構３０が設けられている。
【００２６】
露光調整機構３０は、図２、図３に示すように、第一取付部８１と第二取付部８２との間に配置され、ＬＥＤヘッド１０の調整の操作が入力される操作軸４０と、操作軸４０から入力された操作量を伝達するはすば歯車５０と、はすば歯車５０に伝達された操作量を像担持体２０に対し露光位置の距離に変換する取付軸６０とからなる。
【００２７】
図２に示すように、操作軸４０は、露光装置Ｃ外部から像担持体２０に対する露光位置の高さの調整を行うものであり、第二取付部８２に軸通している。操作軸４０は、露光装置Ｃ外部から操作を行う操作片４１と、ねじ部４２とからなる。
【００２８】
はすば歯車５０は、操作軸４０の径よりも大きく形成され、第一取付部８１側に固定して設けられ、取付部のねじ部４２と噛み合って接している。さらに、はすば歯車５０の中心には、取付軸６０を取り付ける取付孔（図示せず）が設けられている。また、取付孔の内周は、取付軸６０が噛み合って接するようにねじ山が形成されている。
【００２９】
取付軸６０は、はすば歯車５０側に位置する一端には、ＬＥＤヘッド１０が、像担持体２０に接しないように、移動を規制する規制部材が設けられ、他方、ＬＥＤヘッド１０側に位置する他端は、ネジ等で第一取付部８１の上面に取り付けられている。具体的に、規制部材としては、取付軸６０に螺合したボルトである。また、取付軸６０の外周は、はすば歯車５０の取付孔にねじ込むことができるようにねじ山６１が形成されている。
【００３０】
以上の構成により、露光調整機構３０の動作を説明する。先ず、露光装置Ｃの外部から一方または両側の操作片４１をドライバー等で所定の方向に回転させる。
【００３１】
操作軸４０の回転はねじ部４２からはすば歯車５０に伝達され、これに伴い、操作片４１の操作量分だけ、はすば歯車５０は僅かに時計または反時計方向に回転する。操作軸４０の回転は、操作軸４０の径よりはすば歯車５０の径が大きくなっているため、はすば歯車５０の回転は減速する。
【００３２】
図３に示すように、取付軸６０は、減速したはすば歯車５０の回転分だけ上下方向に変換され、操作片４１の操作量だけ上下にシフトする。このシフトと同時に、ＬＥＤヘッド１０も移動する。この移動により、像担持体２０に対し露光位置の距離が調整される。
【００３３】
操作片４１の回転をはすば歯車５０で減速する構成により、ＬＥＤヘッド１０の微小な調整もできる。特に、図３に示すように、千鳥状に配置した各ＬＥＤヘッド１０の光の照射位置を、像担持体２０表面に対し直線状に容易に合わせることができる。
【産業上の利用可能性】
【００３４】
シートに画像を形成する装置、例えば、インクジェット方式、サーマル方式等にも適用できる。また、シートに形成された画像や文字等（画像と文字が混合されたものも含む）を読み取る読取装置（いわゆるスキャナ）にも適用することができる。
【符号の説明】
【００３５】
１０  ＬＥＤヘッド
２０  像担持体
３０  露光調整機構
４０  操作軸
５０  はすば歯車
６０  取付軸
７０  フレーム
【図１】
2011240556.tif 000003
【図２】
2011240556.tif 000004
【図３】
2011240556.tif 000005